(57)【要約】【課題】処理中の工程に必要な検査リスト情報を配置した検査リストを表示する。【解決手段】操作判断処理部２ａは、マウスポインタの座標値を検出し、その座標値がどのように遷移するかを判断する。リスト項目設定処理部２ｂは、操作判断処理部２ａによる判断結果に基づいて、リスト項目記憶部２ｃからリスト項目を読み出してリスト作成処理部２ｄに供給する。リスト作成処理部２ｄは、リスト項目設定処理部２ｂから順に供給されたリスト項目を検査リストの左側から配置する。リスト作成処理部２ｄは、データベース２ｅに記録されている検査リスト情報を読み出して検査リストを作成する。リスト表示処理部２ｆは、リスト作成処理部２ｄで作成された検査リストを表示させる。【選択図】図４
2009268588.tif 000002
【特許請求の範囲】
【請求項１】
患者情報、撮影条件、画像の転送先情報、および画像の保存先情報のうち少なくとも１つを含む検査リスト情報を取得する取得手段と、
前記取得手段により取得された前記検査リスト情報から、検査リストを作成するリスト作成手段と、
患者情報の登録の工程、撮影条件の登録や被検体の撮影を行う工程、または画像の転送先や保存先の登録を行う工程に必要な前記検査リスト情報を優先的に配置した前記検査リストを表示する表示制御手段と
を備えることを特徴とする医用画像診断装置。
【請求項２】
前記表示制御手段は、患者情報の登録の工程のＧＵＩ、撮影条件の登録や被検体の撮影を行う工程のＧＵＩ、または画像の転送先や保存先の登録を行う工程のＧＵＩを、前記検査リストを囲むようにして表示させる
ことを特徴とする請求項１に記載の医用画像診断装置。
【請求項３】
処理中の工程が、前記患者情報の登録の工程、前記撮影条件の登録や被検体の撮影を行う工程、または前記画像の転送先や保存先の登録を行う工程のいずれかを判断する判断手段をさらに備え、
前記表示制御手段は、前記判断手段により判断された工程に必要な前記検査リスト情報が配置された前記検査リストを表示させる
ことを特徴とする請求項１または請求項２に記載の医用画像診断装置。
【請求項４】
患者情報、撮影条件、画像の転送先情報、および画像の保存先情報のうち少なくとも１つを含む検査リスト情報を取得する取得ステップと、
前記取得ステップにより取得された前記検査リスト情報から、検査リストを作成するリスト作成ステップと、
患者情報の登録の工程、撮影条件の登録や被検体の撮影を行う工程、または画像の転送先や保存先の登録を行う工程に必要な前記検査リスト情報を優先的に配置した前記検査リストを表示する表示制御ステップと
を医用画像診断装置が備えるコンピュータに実行させることを特徴とする制御プログラム。
【発明の詳細な説明】
【技術分野】
【０００１】
本発明は、医用画像診断装置およびその制御プログラムに関し、特に、処理中の工程に必要な情報を配置した検査リストを表示することができる医用画像診断装置およびその制御プログラムに関する。
【背景技術】
【０００２】
図１０は、医用画像診断装置における患者情報の登録から転送先／保存先情報の登録までの処理を説明するフローチャートである。
【０００３】
医用画像診断装置は、被検体を撮影することによって得られた断層像を内部のデータベースに登録する装置である。断層像には、被検体の情報である患者情報が対応づけて登録される。この処理を開始するにあたり、医用画像診断装置のディスプレイには、図１１に示すような登録画面１００が表示される。操作者は、この登録画面１００から患者情報の登録や撮影条件の登録などを行うことができる。
【０００４】
医用画像診断装置は、ステップＳ１１において、患者情報の登録が行われたか否かを判定し、患者情報の登録が行われるまで待機する。そして患者情報の登録が行われた場合、ステップＳ１２に進み、医用画像診断装置は、データベースにある検査リストに登録内容を反映させる。
【０００５】
操作者は、検査リストに登録された検査リスト情報（ここでは患者情報）に対して撮影条件の追加を行うために、検査リストを表示させる操作を行う。例えば、検査リスト表示ボタンを選択することにより、図１２に示すような検査リスト１０１が、登録画面１００に重ねて表示される。検査リスト１０１には、例えば、受付番号、検査ＩＤ、患者ＩＤ、患者名、および検査条件などのリスト項目からなる検査リスト情報が登録され、登録されたこれらの情報が横に並べて配置されて表示される。
【０００６】
操作者は、撮影条件の追加を行いたい場合には、検査リスト１０１に表示されている検査リスト情報の中から所望の検査リスト情報を選択する。この操作を受けた医用画像診断装置は、検査リスト１０１の表示を消し、図１１に示す登録画面１００を再び表示させる。
【０００７】
医用画像診断装置は、ステップＳ１３において、撮影条件の登録（追加）が行われたか否かを判定し、撮影条件の登録が行われるまで待機する。そして、図１１、図１２の画面に対する以上のような操作によって撮影条件の登録が行われた場合、ステップＳ１４に進み、医用画像診断装置は、データベースにある検査リストに登録内容を反映させる。
【０００８】
操作者は、撮影条件の登録を行った後、被検体の撮影の実行を指示する。医用画像診断装置は、ステップＳ１５において、撮影が行われたか否かを判定し、撮影が行われるまで待機する。そして撮影が行われた場合、ステップＳ１６に進み、医用画像診断装置は、撮影された生データから再構成を行って断層像を作成し、データベースに登録する。
【０００９】
操作者は、検査リストに登録された検査リスト情報に対して画像の転送先情報または保存先情報の追加を行うために、再度図１２に示した検査リスト１０１を表示させ、画像の転送先情報または保存先情報の追加を行いたい所望の検査リスト情報を選択する。画像の転送先とは、例えばネットワークを介して接続されるバックアップ用のコンピュータであり、画像の保存先とは、例えば光ディスクやフレキシブルディスクなどのリムーバブルメディアである。
【００１０】
ステップＳ１７において、医用画像診断装置は、画像の転送先情報または保存先情報の登録が行われたか否かを判定し、画像の転送先情報または保存先情報の登録が行われるまで待機する。そして画像の転送先情報または保存先情報の登録が行われた場合、ステップＳ１８に進み、医用画像診断装置は、登録された転送先へ断層像を転送するか、または登録された保存先に断層像を保存する。
【００１１】
このように、従来、医用画像診断装置において、患者情報の登録が行われるとその登録内容が検査リストに反映され、次に、検査リストから所望の検査リスト情報が選択されて撮影条件の登録が行われると、その登録内容が検査リストに反映されるといったように、検査リストを中心として処理が進行していく。つまり、患者情報の登録、撮影、画像の転送／保存の各工程と検査リストとの関係は、図１３に示すようになる。
【００１２】
「患者情報登録」の工程では、検査対象の患者名や患者IDなどの患者情報が入力されて検査リストに登録される（矢印ａ）。検査前にキャンセルしたい場合には、検査リストから対象の検査リスト情報が選択されて削除される（矢印ｂ）。
【００１３】
「撮影」の工程では、患者情報登録の工程により登録された検査リスト情報が検査リストから選択され、検査対象の撮影条件が入力されて検査リストに登録される（矢印ｃ）。撮影前にキャンセルしたい場合には、検査リストから対象の検査リスト情報が選択されて削除される（矢印ｄ）。撮影を開始する場合には、検査リストから対象の検査リスト情報が選択されて撮影が開始される（矢印ｄ）。
【００１４】
「画像の転送／保存」の工程では、撮影が終了した検査リスト情報が検査リストから選択され、画像の転送先情報または保存先情報の登録が行われる（矢印ｅ）。画像の転送／保存を中断または中止する場合には、検査リストから対象の検査リスト情報が選択されて中断または削除される（矢印ｆ）。
【００１５】
このように、検査リストは、患者情報の登録、撮影、画像の転送／保存の各工程と密接に関係している。
【００１６】
すなわち、以下の特許文献１の図面にも示されているように通常は検査リストが表示されているため、患者情報の登録等を行うためには、一旦開いている検査リストの画面を閉じた上で患者情報の登録等の画面を開いて必要な作業を行うことになる。
【特許文献１】特開２００６−１１０１８５号公報
【発明の開示】
【発明が解決しようとする課題】
【００１７】
しかしながら、上述した特許文献１に表わされているような画面遷移の仕方では、患者情報の登録、撮影、画像の転送／保存の各工程を移動する際に必ず検査リストの画面を通過することになる。これは各工程で対象となる患者を選択する必要があるためである。これでは各工程の処理を迅速に行うことは困難である。
【００１８】
特にある工程の処理を行っている最中に緊急の工程の処理を行う場合、それまで行っていた工程の処理を中断し、登録画面１００の前面に検査リスト１０１を表示させて、検査リスト１０１から緊急の工程を選択しなければならないため、中断前の工程の処理の状態がわからなくなってしまうという課題があった。
【００１９】
また、工程毎に登録するリスト項目の内容が異なるため、検査リストに一覧で表示させるようにすると検査リスト情報が多くなってしまう。そこで、操作者は、所望の検査リスト情報を見つけるために表示させる情報の範囲を変えるために横スクロールを行わなければならず、操作性が悪いという課題があった。
【００２０】
本発明はこのような状況に鑑みてなされたものであり、その目的は、検査リストを囲むようにして各工程のＧＵＩを配置するとともに、処理中の工程を判断しその工程に必要な情報を配置した検査リストを表示させる医用画像診断装置およびその制御プログラムを提供することである。
【課題を解決するための手段】
【００２１】
請求項１記載の本発明の実施の形態に係る第１の特徴は、患者情報、撮影条件、画像の転送先情報、および画像の保存先情報のうち少なくとも１つを含む検査リスト情報を取得する取得手段と、取得手段により取得された検査リスト情報から、検査リストを作成するリスト作成手段と、患者情報の登録の工程、撮影条件の登録や被検体の撮影を行う工程、または画像の転送先や保存先の登録を行う工程に必要な検査リスト情報を優先的に配置した検査リストを表示する表示制御手段とを備える。
【００２２】
請求項４記載の本発明の実施の形態に係る第２の特徴は、患者情報、撮影条件、画像の転送先情報、および画像の保存先情報のうち少なくとも１つを含む検査リスト情報を取得する取得ステップと、取得ステップにより取得された検査リスト情報から、検査リストを作成するリスト作成ステップと、患者情報の登録の工程、撮影条件の登録や被検体の撮影を行う工程、または画像の転送先や保存先の登録を行う工程に必要な検査リスト情報を優先的に配置した検査リストを表示する表示制御ステップとを医用画像診断装置が備えるコンピュータに実行させることを特徴とする。
【発明の効果】
【００２３】
本発明によれば、検査リストを表示する場合に、検査リストを囲むようにして各工程のＧＵＩを配置するとともに、処理中の工程を判断しその工程に必要な情報を配置した検査リストを表示させることができる医用画像診断装置およびその制御プログラムを提供することができる。
【発明を実施するための最良の形態】
【００２４】
以下、本発明の実施の形態について図面を参照して詳細に説明する。
【００２５】
図１は、本発明に係る医用画像診断装置１の構成例を示す図である。この医用画像診断装置１は、CPU(Central Processing Unit)１ａ、ROM（Read Only Memory）１ｂ、RAM（Random Access Memory）１ｃ、および入出力インターフェイス１ｄが、バス１ｅを介して接続されている。入出力インターフェイス１ｄには、記憶部１ｆ、通信部１ｇ、表示部１ｈ、入力部１ｉ、およびリムーバブルディスク１ｊが接続されている。
【００２６】
CPU１ａは、入力部１ｉからの入力信号に基づいてROM１ｂから医用画像診断装置１を起動するためのブートプログラムを読み出して実行し、記憶部１ｆに格納されている各種オペレーティングシステムを読み出す。またCPU１ａは、入力部１ｉからの入力信号に基づいて各種の制御を行ったり、ROM１ｂや記憶部１ｆに記憶されたプログラムおよびデータを読み出してRAM１ｃにロードしたり、あるいはRAM１ｃから読み出されたプログラムのコマンドに基づいて、データ演算または加工などの一連の処理を実行する。
【００２７】
記憶部１ｆは、半導体メモリや磁気ディスクなどで構成されており、CPU１ａで実行されるプログラムやデータを記憶する。記憶部１ｆには、CPU１ａが実行するプログラムとして、例えば、患者情報、撮影条件、および画像の転送／保存の登録などを行うためのGUI（Graphical User Interface）や検査リストを表示部１ｈに表示させるアプリケーションが用意される。以下、適宜、各工程のGUIや検査リストを表示させるこのアプリケーションを表示アプリケーションという。
【００２８】
検査リストとは、受付番号、検査ＩＤ、患者ＩＤ、患者名、誕生日、性別、管電流、管電圧、収集時間、FOV、スライス幅、再構成関数、造影、転送先、および転送状態などのリスト項目からなる検査リスト情報が登録されるリストであり、各工程で登録された検査リスト情報がそこに設定される。
【００２９】
通信部１ｇは、LAN（Local Area Network）カードやモデムなどで構成されており、医用画像診断装置１をローカルエリアネットワークやインターネットといった通信媒体に接続することを可能にする。すなわち通信部１ｇは、通信媒体から受信したデータを、入出力インターフェイス１ｄおよびバス１ｅを介してCPU１ａに送信し、CPU１ａからバス１ｅおよび入出力インターフェイス１ｄを介して受信したデータを、通信媒体に送信する。
【００３０】
表示部１ｈは、例えば液晶ディスプレイであり、CPU１ａからバス１ｅおよび入出力インターフェイス１ｄを介して受信した信号に基づいて、CPU１ａの処理結果などを表示する。
【００３１】
入力部１ｉは、医用画像診断装置１の操作者が各種の操作を入力するキーボードやマウスなどの入力デバイスにより構成されており、操作者の操作に基づいて入力信号を生成し、入出力インターフェイス１ｄおよびバス１ｅを介してCPU１ａに送信する。
【００３２】
リムーバブルディスク１ｊは、例えば光ディスクやフレキシブルディスクなどであり、図示せぬディスクドライブによって読み出されたデータが、入出力インターフェイス１ｄおよびバス１ｅを介してCPU１ａに送信され、CPU１ａからバス１ｅおよび入出力インターフェイス１ｄを介して受信したデータが、ディスクドライブによって書き込まれる。
【００３３】
図２は、表示アプリケーションによって表示部１ｈに表示される画面の例を示す図である。
【００３４】
操作者により表示アプリケーションが起動されたとき、医用画像診断装置１の表示部１ｈには、図２に示すような画面Ｗが表示される。
【００３５】
画面Ｗ内において、左方には、患者情報の登録の工程を行うためのGUIである画面Ｗ１が配置され、中央下方には、撮影条件の登録や撮影処理の工程を行うためのGUIである画面Ｗ２が配置され、右方には、画像の転送／保存の登録や画像の転送／保存処理の工程を行うためのGUIである画面Ｗ３が配置され、中央上方には、検査リストＣを表示する画面Ｗ４が配置されている。
【００３６】
画面Ｗ１には、受付番号、患者名、患者ＩＤ、性別、誕生日、年齢、および体重を入力することができる入力エリアＡ１乃至Ａ７が表示されており、操作者が患者情報の登録を行うことができるようになされている。画面Ｗ１の下方には、入力した患者情報を登録するときに操作される「登録」ボタンＢ１と、入力した患者情報を削除するときに操作される「削除」ボタンＢ２が表示される。
【００３７】
画面Ｗ２には、管電流、管電圧、収集時間、FOV（Field Of View）、スライス幅、造影、および再構成関数を入力することができる入力エリアＡ８乃至Ａ１４が表示されており、操作者が撮影条件の登録を行うことができるようになされている。画面Ｗ２の下方には、入力した撮影条件を登録するときに操作される「登録」ボタンＢ３と、登録した撮影条件に基づいて撮影を開始するときに操作される「撮影開始」ボタンＢ４が表示される。
【００３８】
画面Ｗ３には、画像の転送先または保存先を入力することができる入力エリアＡ１５が表示されており、操作者が、画像の転送先またはメディアへの保存先の登録を行うことができるようになされている。画面Ｗ３の中央には、入力した転送先または保存先を登録するときに操作される「登録」ボタンＢ５と、画像の転送処理または保存処理を中断するときに操作される「中断」ボタンＢ６と、入力した転送先または保存先を削除するときに操作される「削除」ボタンＢ７が表示される。
【００３９】
画面Ｗ４には、各工程において登録された情報が検査リストＣとして表示される。また画面Ｗ４の検査リストＣでは、処理中の工程で必要なリスト項目が優先して配置されるように表示が切り替えられる。
【００４０】
例えば、図３に示すように、マウスの動きに連動するマウスポインタＰが画面Ｗ１と画面Ｗ４の境界線であるａ辺をまたいだとき（画面Ｗ１から画面Ｗ４に移動したとき、あるいは画面Ｗ４から画面Ｗ１に移動したとき）、患者情報の登録の工程が行われていると判断され、画面Ｗ４の検査リストＣでは、患者情報の登録に必要なリスト項目が優先して配置されるように表示が切り替えられる。
【００４１】
また例えば、マウスポインタＰが画面Ｗ２と画面Ｗ４の境界線であるｂ辺をまたいだとき（画面Ｗ２から画面Ｗ４に移動したとき、あるいは画面Ｗ４から画面Ｗ２に移動したとき）、撮影条件の登録や撮影処理の工程が行われていると判断され、画面Ｗ４の検査リストＣでは、撮影条件の登録や撮影処理に必要なリスト項目が優先して配置されるように表示が切り替えられる。
【００４２】
また例えば、マウスポインタＰが画面Ｗ３と画面Ｗ４の境界線であるｃ辺をまたいだとき（画面Ｗ３から画面Ｗ４に移動したとき、あるいは画面Ｗ４から画面Ｗ３に移動したとき）、画像の転送／保存の登録や画像の転送／保存処理の工程が行われていると判断され、画面Ｗ４の検査リストＣでは、画像の転送／保存の登録や画像の転送／保存処理に必要なリスト項目が優先して配置されるように表示が切り替えられる。
【００４３】
なお、マウスポインタＰがｄ辺をまたいだとき（画面Ｗの上方から画面Ｗ４に移動したとき、あるいは画面Ｗ４から画面Ｗの上方に移動したとき）には、画面Ｗ４の検査リストＣの表示は変化しない。
【００４４】
このように、検査リストＣを表示する画面Ｗ４を囲むようにして、各工程のGUIである画面Ｗ１乃至Ｗ３が表示されるから、操作者は、検査リストＣを確認しながら、各工程を処理することができる。また、マウスポインタＰの進入位置に応じて処理中の工程が判断されたとき、検査リストＣでは、その工程に必要なリスト項目が配置されるように表示が切り替えられるため、操作者は、検査リストＣから所望の検査リスト情報を見つけるための横スクロールといった操作を行うことなく、容易に確認することができる。
【００４５】
図４は、医用画像診断装置１の機能構成例を示すブロック図である。図４に示す機能部のうちの少なくとも一部は、図１のCPU１ａにより表示アプリケーションが実行されることによって、検査リスト表示部２が実現される。
【００４６】
図４に示すように、検査リスト表示部２は、操作判断処理部２ａ、リスト項目設定処理部２ｂ、リスト項目記憶部２ｃ、リスト作成処理部２ｄ、データベース２ｅ、およびリスト表示処理部２ｆから構成される。
【００４７】
操作判断処理部２ａは、入力部１ｉのマウスポインタＰの座標値を検出し、その座標値がどのように遷移するかを判断する。図３を参照して上述したように、例えば、マウスポインタＰの座標値がａ辺をまたぐように遷移したとき、患者情報の登録を行っていると判断され、マウスポインタＰの座標値がｂ辺をまたぐように遷移したとき、撮影条件の登録や撮影処理を行っていると判断され、マウスポインタＰの座標値がｃ辺をまたぐように遷移したとき、画像の転送／保存の登録や転送／保存処理を行っていると判断される。操作判断処理部２ａは、判断結果をリスト項目設定処理部２ｂに出力する。
【００４８】
リスト項目設定処理部２ｂは、操作判断処理部２ａからの判断結果に基づいて、リスト項目記憶部２ｃに記憶されているリスト項目を読み出して取得する。従って、リスト項目設定処理部２ｂは、リスト項目記憶部２ｃからリスト項目を取得する取得手段としての役割を果たす。リスト項目記憶部２ｃには、図５に示すように、各工程に必要なリスト項目が、検査リストに表示させる並び順に記録されている。これらのリスト項目は、医用画像診断装置１の管理者などにより予め記憶される。
【００４９】
リスト項目設定処理部２ｂは、操作判断処理部２ａにより患者情報の登録を行っていると判断されたとき、リスト項目記憶部２ｃから、受付番号、検査ＩＤ、患者ＩＤ、患者名、誕生日、性別、管電流、管電圧、収集時間、FOV、スライス幅、再構成関数、造影、転送先、および転送状態の順でリスト項目を読み出す。
【００５０】
またリスト項目設定処理部２ｂは、操作判断処理部２ａにより撮影条件の登録や撮影処理を行っていると判断されたとき、リスト項目記憶部２ｃから、検査ＩＤ、管電流、管電圧、収集時間、FOV、スライス幅、再構成関数、造影、転送先、転送状態、受付番号、患者ＩＤ、患者名、誕生日、および性別の順でリスト項目を読み出す。
【００５１】
またリスト項目設定処理部２ｂは、操作判断処理部２ａにより画像の転送／保存の登録や転送／保存処理を行っていると判断されたとき、リスト項目記憶部２ｃから、受付番号、検査ＩＤ、患者ＩＤ、患者名、転送先、転送状態、誕生日、性別、管電流、管電圧、収集時間、FOV、スライス幅、再構成関数、および造影の順でリスト項目を読み出す。
【００５２】
リスト項目設定処理部２ｂは、読み出した順に、リスト項目をリスト作成手段であるリスト作成処理部２ｄに供給する。
【００５３】
リスト作成処理部２ｄは、リスト項目設定処理部２ｂから順に供給されたリスト項目を、検査リストＣの左側から配置してリストを作成する。
【００５４】
例えば、患者情報の登録を行っていると判断されたときには、図６に示すように、受付番号、検査ＩＤ、患者ＩＤ、患者名、誕生日、性別、管電流、管電圧、収集時間、FOV、スライス幅、再構成関数、造影、転送先、および転送状態の順でリスト項目が配置される。
【００５５】
また例えば、撮影条件の登録や撮影処理を行っていると判断されたときには、図７に示すように、検査ＩＤ、管電流、管電圧、収集時間、FOV、スライス幅、再構成関数、造影、転送先、転送状態、受付番号、患者ＩＤ、患者名、誕生日、および性別の順でリスト項目が配置される。
【００５６】
また例えば、画像の転送／保存の登録や転送／保存処理を行っていると判断されたときには、図８に示すように、受付番号、検査ＩＤ、患者ＩＤ、患者名、転送先、転送状態、誕生日、性別、管電流、管電圧、収集時間、FOV、スライス幅、再構成関数、および造影の順でリスト項目が配置される。
【００５７】
リスト作成処理部２ｄは、データベース２ｅに記録されている検査リスト情報を読み出して検査リストＣを作成する。データベース２ｅには、操作者により入力部１ｉが用いられて登録された患者情報、撮影条件、および画像の転送先情報や保存先情報などを含む検査リスト情報が記録されている。
【００５８】
図６の例では、1234（受付番号）、１（検査ＩＤ）、112233（患者ＩＤ）、ABCD（患者名）、1980.01.01（誕生日）、男（性別）などの検査リスト情報が設定されて検査リストＣが作成される。
【００５９】
図７の例では、５（検査ＩＤ）、150（管電流）、250（管電圧）、0.5（収集時間）、320（FOV）、2.0（スライス幅）、FC34（再構成関数）、NONE（造影）、2233（受付番号）、121212（患者ＩＤ）、XYZ1（患者名）、1977.02.02（誕生日）、女（性別）などの検査リスト情報が設定されて検査リストＣが作成される。
【００６０】
図８の例では、5533（受付番号）、４（検査ＩＤ）、567890（患者ＩＤ）、cccc（患者名）、1975.12.12（誕生日）、男（性別）、150（管電流）、250（管電圧）、0.5（収集時間）、320（FOV）、1.0（スライス幅）、FC12（再構成関数）、CE（造影）などの検査リスト情報が設定されて検査リストＣが作成される。
【００６１】
リスト作成処理部２ｄは、検査リストＣを作成する際に、操作判断処理部２ａにより判断された工程に係る検査リスト情報が他の工程に係る検査リスト情報よりも上に表示されるように並べ替える。またリスト作成処理部２ｄは、操作判断処理部２ａにより判断された工程に係るリスト項目と検査リスト情報は表示させるように設定し、それ以外のリスト項目と検査リスト情報は網掛け表示に設定する。
【００６２】
例えば、図６に示す検査リストＣは、患者情報の登録を行っている場合に表示されるものであり、この患者情報の登録の工程に係る受付番号１、２、３の検査リスト情報が撮影工程や転送／保存工程で必要とされる検査情報リストよりも上となるように並べ替えられる。また患者情報の登録の工程に係る受付番号、検査ＩＤ、患者ＩＤ、患者名、誕生日、および性別のリスト項目は表示されるように設定され、管電流、管電圧、収集時間、FOV、スライス幅、再構成関数、造影、転送先、および転送状態のリスト項目、受付番号４乃至６の検査リスト情報は網掛け表示に設定される。
【００６３】
図７に示す検査リストは、撮影条件の登録や撮影処理を行っている場合に表示されるものであり、この撮影条件の登録や撮影処理の工程に係る受付番号１、２、３、５の検査リスト情報が上となるように並べ替えられる。また撮影条件の登録や撮影処理の工程に係る検査ＩＤ、管電流、管電圧、収集時間、FOV、スライス幅、再構成関数、および造影のリスト項目は表示されるように設定され、転送先、転送状態、受付番号、患者ＩＤ、患者名、誕生日、および性別のリスト項目、受付番号４、６の検査リスト情報は網掛け表示に設定される。
【００６４】
図８に示す検査リストは、画像の転送／保存の登録や転送／保存処理を行っている場合に表示されるものであり、この画像の転送／保存の登録や転送／保存処理の工程に係る受付番号４６の検査リスト情報が上となるように並べ替えられる。また画像の転送／保存の登録や転送／保存処理の工程に係る受付番号、検査ＩＤ、患者ＩＤ、患者名、転送先、および転送状態のリスト項目は表示されるように設定され、誕生日、性別、管電流、管電圧、収集時間、FOV、スライス幅、再構成関数、および造影のリスト項目、受付番号１、２、３、５の検査リスト情報は網掛け表示に設定される。
【００６５】
リスト作成処理部２ｄは、処理中の工程に必要なリスト項目を配置し、検査リスト情報を設定して検査リストを作成すると、その作成した検査リストを表示制御部であるリスト表示処理部２ｆに供給する。
【００６６】
リスト表示処理部２ｆは、リスト作成処理部２ｄから供給された検査リストから、図２に示した画面Ｗを表示部１ｈに表示させる。
【００６７】
次に、図９のフローチャートを参照して、図２に示した画面の表示制御処理について説明する。この処理は、操作者により表示アプリケーションが起動され、図２に示した画面Ｗが医用画像診断装置１の表示部１ｈに表示されているときに開始される。
【００６８】
ステップＳ１において、操作判断処理部２ａは、入力部１ｉのマウスポインタＰの座標値を検出し、その座標値の遷移から処理中の工程を判断する。図３を参照して上述したように、操作判断処理部２ａは、マウスポインタＰの座標値の遷移から、操作者が行う処理の工程を患者情報の登録の工程、撮影条件の登録や撮影処理の工程、あるいは、画像の転送／保存の登録や画像の転送／保存処理の工程のいずれであるかを判断する。
【００６９】
ステップＳ２において、リスト項目設定処理部２ｂは、ステップＳ１の処理による判断結果に基づいて、リスト項目記憶部２ｃからリスト項目を読み出し、読み出した順にリスト作成処理部２ｄに供給する。リスト作成処理部２ｄは、リスト項目設定処理部２ｂから順に供給されたリスト項目を、検査リストＣの左側から配置する。
【００７０】
ステップＳ３において、リスト作成処理部２ｄは、データベース２ｅに記録されている検査リスト情報を読み出して検査リストＣを作成する。
【００７１】
ステップＳ４において、リスト表示処理部２ｆは、ステップＳ３の処理でリスト作成処理部２ｄにより作成された検査リストＣを囲むようにして、患者情報の登録の工程のGUI、撮影条件の登録や撮影処理の工程を行うためのGUI、画像の転送／保存の登録や画像の転送／保存処理の工程を行うためのGUIを配置した画面を表示部１ｈに表示させる。これにより、図２に示した画面Ｗが表示される。
【００７２】
以上の処理により、検査リストＣへのマウスポインタＰの進入位置に応じて、患者情報の登録の工程、撮影条件の登録や撮影処理の工程、あるいは画像の転送／保存の登録や画像の転送／保存処理の工程が行われていると判断することができる。そして、処理中の工程で必要なリスト項目を検査リストＣの左側から配置するようにしたので、操作者は、横スクロールせずに現在作業を行っている工程において所望の検査リスト情報を確認することができる。これにより、操作性の向上および検査時間の短縮化につながる。
【００７３】
また、検査リストＣを中心に患者情報の登録の工程のGUI、撮影条件の登録や撮影処理の工程を行うためのGUI、画像の転送／保存の登録や画像の転送／保存処理の工程を行うためのGUIを配置して表示させるため、操作者は、緊急の工程が入った場合に、入力途中の工程を中断して緊急の工程を処理することができる。そして、緊急の工程の処理が終了した後、入力途中の工程に戻り、処理の続きを行うことができる。すなわち、緊急時に対応することができるだけでなく、緊急の工程の直前まで処理していた工程も効率良く処理することができる。
【００７４】
以上において検査リストを表示させる場合に、処理中の工程で必要なリスト項目以外のリスト項目を網掛け表示にするようにしたが、これに限らず、例えば、処理中の工程で必要なリスト項目のみを表示させ、それ以外は非表示にするようにしてもよい。
【００７５】
例えば、図６において、患者情報の登録の工程で必要な、受付番号、検査ＩＤ、患者ＩＤ、患者名、誕生日、および性別のリスト項目のみを表示させ、患者情報の登録の工程では必要のない、管電流、管電圧、収集時間、FOV、スライス幅、再構成関数、造影、転送先、および転送状態のリスト項目は非表示にするようにしてもよい。これにより、検査リストの表示領域が小さくて済むだけでなく、ディスプレイの大型化やワイド画面化の技術との相乗効果で、画面上にいくつもの工程を表示させることができ、ワークフロー全体が把握しやすくなり、各工程における処理の効率化が可能となる。
【００７６】
また以上においては、検査リストＣへのマウスポインタＰの進入位置に応じて処理中の工程を判断するようにしたが、これに限らず、例えば、図２において、マウスポインタＰが、画面Ｗ１上に存在する場合には患者情報の登録を行っていると判断し、画面Ｗ２上に存在する場合には撮影条件の登録または撮影処理を行っていると判断し、画面Ｗ３上に存在する場合には画像の転送／保存の登録や転送／保存処理を行っていると判断するようにしてもよい。
【００７７】
また、画面Ｗ１の入力エリアＡ１乃至Ａ７のいずれかがアクティブになっている場合には患者情報の登録を行っていると判断し、画面Ｗ２の入力エリアＡ８乃至Ａ１４のいずれかがアクティブになっている場合には撮影条件の登録を行っていると判断し、画面Ｗ３の入力エリアＡ１５がアクティブになっている場合には画像の転送／保存の登録を行っていると判断するようにしてもよい。
【００７８】
さらに、データベース２ｅに、登録された患者情報、撮影条件、および画像の転送先情報や保存先情報などを含む検査リスト情報が記録されているものとしたが、これに限らず、医用画像診断装置１とネットワークを介して接続されたHIS（Hospital Information System）やRIS（Radiology Information System）といった他の装置から検査リスト情報を取得するようにしてもよい。
【００７９】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【図面の簡単な説明】
【００８０】
【図１】本発明に係る医用画像診断装置１の構成例を示す図である。
【図２】表示部に表示される画面の例を示す図である。
【図３】マウスの進入位置を説明する図である。
【図４】医用画像診断装置の機能構成例を示すブロック図である。
【図５】リスト項目記憶部に記憶されるリスト項目の例を示す図である。
【図６】患者情報の登録に適した検査リストの例を示す図である。
【図７】撮影条件の登録や撮影処理に適した検査リストの例を示す図である。
【図８】画像の転送／保存の登録や転送／保存処理に適した検査リストの例を示す図である。
【図９】表示制御処理を説明するフローチャートである。
【図１０】従来の医用画像診断装置における患者情報の登録から転送先／保存先情報の登録までの処理を説明するフローチャートである。
【図１１】登録画面の表示例を示す図である。
【図１２】検査リストの表示例を示す図である。
【図１３】各工程と検査リストとの関係を示す図である。
【符号の説明】
【００８１】
１  医用画像診断装置
２  検査リスト表示部
２ａ  操作判断処理部
２ｂ  リスト項目設定処理部
２ｃ  リスト項目記憶部
２ｄ  リスト作成処理部
２ｅ  データベース
２ｆ  リスト表示処理部
【図１】
2009268588.tif 000003
【図２】
2009268588.tif 000004
【図３】
2009268588.tif 000005
【図４】
2009268588.tif 000006
【図５】
2009268588.tif 000007
【図６】
2009268588.tif 000008
【図７】
2009268588.tif 000009
【図８】
2009268588.tif 000010
【図９】
2009268588.tif 000011
【図１０】
2009268588.tif 000012
【図１１】
2009268588.tif 000013
【図１２】
2009268588.tif 000014
【図１３】
2009268588.tif 000015